【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
組織に治療を施す装置であって、対象組織の近くに置かれたとき対象治療域を設定する部位を有するハウジングと、前記対象治療域に電磁放射線（ＥＭＲ）を適用するための発光バーとを含んでおり、前記発光バーは前記対象組織内に複数の治療小島を創出するために複数のＥＭＲエミッターを含んでいることを特徴とする装置。
【請求項２】
エミッターは使用時には略５０から１０００μｍの組織幅に間隔が開けられていることを特徴とする請求項１記載の装置。
【請求項３】
発光バーと、対象治療域を設定するハウジングの部位との間に焦点光学機器を有しておらず、及び/又は発光バーと、対象治療域を設定するハウジングの部位との間に画像化光学機器を有していないことを特徴とする請求項１記載の装置。
【請求項４】
エミッターとハウジングとの間の距離は略５０から１０００μｍであることを特徴とする請求項１記載の装置。
【請求項５】
使用時には発光バーと組織との間に設置されたコンタクトプレートをさらに含み、エミッター間の距離と前記コンタクトプレートからの距離は略５０から１０００μｍであることを特徴とする請求項１記載の装置。
【請求項６】
コンタクトプレートはハウジングの一部であり、及び/又はコンタクトプレートはハウジングに操作可能に取り付けられていることを特徴とする請求項１記載の装置。
【請求項７】
発光バーはハウジング内に取り付けられていることを特徴とする請求項１記載の装置。
【請求項８】
ベースユニットをさらに含んでおり、発光バーは前記ベースユニット内に取り付けられていることを特徴とする請求項１記載の装置。
【請求項９】
エミッターは等間隔に配置されており、オプションでは略５０から９００μｍの間隔で配置されていることを特徴とする請求項１記載の装置。
【請求項１０】
エミッターはＥＭＲを略２９０から１００００ｎｍ、または略９００から１００００ｎｍの波長範囲で発生させることを特徴とする請求項１記載の装置。
【請求項１１】
エミッターは略５０から１５０μｍの幅を有していることを特徴とする請求項１記載の装置。
【請求項１２】
発光バーはＬＥＤバーまたはダイオードレーザバーであることを特徴とする請求項１記載の装置。
【請求項１３】
発光バーは略１ｃｍ長及び/又は略１ｍ幅のダイオードレーザバーであることを特徴とする請求項１記載の装置。
【請求項１４】
発光バーは略１０から略１５のエミッターを含んでいるダイオードレーザバーであることを特徴とする請求項１記載の装置。
【請求項１５】
装置は複数のダイオードレーザバーを含んでおり、オプションでは５以上のダイオードレーザバーを含んでいることを特徴とする請求項１２記載の装置。
【請求項１６】
ダイオードレーザバーは使用時に組織内に治療小島のマトリックスを創出するスタックとして形成されることを特徴とする請求項１５記載の装置。
【請求項１７】
ハウジングに取り付けられた冷却エレメントまたは加熱エレメントあるいはそれらの両方をさらに含んでおり、オプションで前記要素は使用時に発光バーと組織との間に設置されることを特徴とする請求項１記載の装置。
【請求項１８】
エレメントは発光バーからＥＭＲの少なくとも一部を通過させることを特徴とする請求項１７記載の装置。
【請求項１９】
エレメントは組織との全接触域を冷却し、またはエレメントは処理小島間で冷却の小島を創出することを特徴とする請求項１８記載の装置。
【請求項２０】
対象治療域を定めるハウジング部分は冷却エレメントまたは加熱エレメントあるいはそれらの両方を含んでおり、前記要素は使用時に発光バーと組織との間に設置されることを特徴とする請求項１記載の装置。
【請求項２１】
組織でのハウジングの移動速度を測定する速度センサーをさらに含み、オプションで、組織でのハウジングの移動速度に対応して発光バーの出力パワーを変動させる回路をさらに含み、オプションで、前記回路はダイオードレーザバーのパルス間隔とパルス時間の少なくとも一方を規制し、少なくとも一方は患者皮膚での前記ハウジングの移動速度に反比例するようにしていることを特徴とする請求項１記載の装置。
【請求項２２】
速度センサーは容量性イメージングアレイまたは光学イメージングアレイであり、オプションで、使用時に容量性イメージングアレイまたは光学イメージングアレイは対象治療域のイメージを創出することを特徴とする請求項２３記載の装置。
【請求項２３】
発光バーをハウジングに対して移動させるトランスレータをさらに含み、オプションで、組織でのハウジングの移動方向とは逆方向に発光バーを移動させるように前記トランスレータを制御する回路をさらに含んでいることを特徴とする請求項１記載の装置。
【請求項２４】
トランスレータがハウジングに対して発光バーを移動させるとき、治療小島のマトリックスを創出することを特徴とする請求項２３記載の装置。
【請求項２５】
発光バーと対象治療域を定めるハウジング部分との間でハウジング内に設置された画像化エレメント、屈折エレメントまたは回折光学エレメントをさらに含んでいることを特徴とする請求項１記載の装置。
【請求項２６】
ハウジングは使用時に組織と接触するヘッド部を有しており、オプションで、前記ヘッド部が組織と接触していることを感知するコンタクトセンサーをさらに含んでいることを特徴とする請求項１記載の装置。
【請求項２７】
光ファイバの束をさらに含んでおり、各光ファイバは少なくとも１つのエミッターに接続されており、オプションで、各光ファイバは１つのエミッターに接続されていることを特徴とする請求項１記載の装置。
【請求項２８】
各光ファイバの出力と関係する画像化光学機器をさらに含んでいることを特徴とする請求項２７記載の装置。
【請求項２９】
各光ファイバの出力と関係する焦点光学機器をさらに含んでいることを特徴とする請求項２７記載の装置。
【請求項３０】
携帯用であることを特徴とする請求項１記載の装置。
【請求項３１】
互いに操作可能に結合された光学エレメントをさらに含んでおり、前記光学エレメントは治療小島の創出を援助することを特徴とする請求項１記載の装置。
【請求項３２】
ハウジングの組織との接触、組織でのハウジングの移動速度および組織の画像化のうちの少なくとも１つを感知するセンサーをさらに含んでいることを特徴とする請求項１記載の装置。
【請求項３３】
使用時に組織でハウジングを移動させるスキャナーをさらに含んでいることを特徴とする請求項１記載の装置。
【請求項３４】
ハウジングは使用時に組織を手動で移動することができることを特徴とする請求項１記載の装置。
【請求項３５】
装置は携帯用装置である画像化光学システムであり、前記画像化光学システムは各光ファイバの出力と関係する画像化光学機器を含んでいることを特徴とする請求項２８記載の装置。
【請求項３６】
携帯用装置内の焦点光学システムをさらに含んでおり、前記焦点光学システムは各光ファイバの出力と関係する焦点光学機器を含んでいることを特徴とする請求項３５記載の装置。
【請求項３７】
ハウジングに操作可能に接続された冷却表面または加熱表面の少なくとも一方をさらに含んでおり、前記表面は使用時に組織上で対象治療部位を定めるように組織に近接して配置され、発光バーからの出力ＥＭＲは組織に組織小島を創出するために前記表面を通過することを特徴とする請求項３０記載の装置。
【請求項３８】
冷却表面または加熱表面はサファイヤプレートであることを特徴とする請求項３７記載の装置。
【請求項３９】
発光バーと出力ＥＭＲを焦点処理するための表面との間で光通路に設置された光学エレメントをさらに含んでいることを特徴とする請求項３７記載の装置。
【請求項４０】
エミッターは互いに離間しており、対象治療部位の少なくとも一部は出力ＥＭＲを直接受領していない治療小島間であることを特徴とする請求項３７記載の装置。
【請求項４１】
ＥＭＲは複数のサブ領域内に適用され、各エミッターはＥＭＲを前記サブ領域の１つに適用され、対象治療域の少なくとも一部はＥＭＲを直接受領していない前記サブ領域間であることを特徴とする請求項１記載の装置。
【請求項４２】
発光構造体に取り付けられた加熱エレメントをさらに含んでおり、前記加熱エレメントは前記発光構造体と組織の対象治療域との間に配置され、本装置が使用時に前記対象治療域を加熱するとき前記対象治療域と接触状態であり、前記加熱エレメントは前記発光構造体からＥＭＲの少なくとも一部を通過させることを特徴とする請求項４１記載の装置。
【請求項４３】
発光構造体に取り付けられた冷却エレメントをさらに含んでおり、前記冷却エレメントは前記発光構造体と組織の対象治療域との間に配置され、本装置が使用時に前記対象治療域からの熱を降下させるとき前記対象治療域と接触状態であり、前記冷却エレメントは前記発光構造体からＥＭＲの少なくとも一部を通過させることを特徴とする請求項４１記載の装置。
【請求項４４】
冷却エレメントはサファイヤまたはダイヤモンド製であることを特徴とする請求項４３記載の装置。
【請求項４５】
冷却エレメントは光学的に透明である物質製であることを特徴とする請求項４３記載の装置。
【請求項４６】
発光バーはダイオードレーザバーであり、本装置はスタック形態で複数のダイオードレーザバーを含み、オプションで、前記複数のダイオードレーザバーは異なる波長の放射線を発光することを特徴とする請求項１記載の装置。
【請求項４７】
光学エレメントとマスクとで成る群から選択されるエレメントをさらに含んでいることを特徴とする請求項４１記載の装置。